(57)【特許請求の範囲】
【請求項１】
複数の記録媒体に記録されている複数の情報信号を再生する再生手段と、
上記再生手段によって再生された情報信号の再生終了を判定する再生終了判定手段と、
上記複数の各記録媒体から読み出した、再生する予定の順序の再生順序予定リストを記憶する第１の記憶手段と、
上記複数の記録媒体から上記再生順序予定リストに従って再生され、上記再生終了判定手段によって再生の終了が判定された再生済みリストを記憶する第２の記憶手段と、
上記第２の記憶手段に記憶された上記再生済みリストと、上記記録媒体に記録された複数の情報信号から、登録曲数の制限と、削除可能な曲の選択方法について予め設定しておいた条件に基いて新曲順リストを生成し、生成した新曲順リストで上記再生済みリストを上書きする第３の記憶手段とを備え、
上記情報信号の再生停止後の再生開始時には、上記第３の記憶手段に記憶された上記新曲順リストに従って、上記情報信号を上記再生手段によって上記記録媒体から再生し得るようにした
ことを特徴とする情報再生装置。
【請求項２】
上記再生判定手段は、上記再生順序予定リストに記載された上記情報信号の再生時間に対する再生中の再生時間の比率によって、上記情報信号の再生終了の判定を行う
ことを特徴とする請求項１に記載の情報再生装置。
【請求項３】
複数の記録媒体に記録されている複数の情報信号を再生する再生ステップと、
上記再生手段によって再生された情報信号の再生終了を判定する再生終了判定ステップと、
上記複数の各記録媒体から読み出した、再生する予定の順序の再生順序予定リストを記憶する第１の記憶ステップと、
上記複数の記録媒体から上記再生順序予定リストに従って再生され、上記再生終了判定手段によって再生の終了が判定された再生済みリストを記憶する第２の記憶ステップと、
上記第２の記憶手段に記憶された上記再生済みリストと、上記記録媒体に記録された複数の情報信号から、登録曲数の制限と、削除可能な曲の選択方法について予め設定しておいた条件に基いて新曲順リストを生成し、生成した新曲順リストで上記再生済みリストを上書きする第３の記憶ステップとを備え、
上記情報信号の再生停止後の再生開始時には、第３の記憶ステップで上書きされた上記新曲順リストに従って、上記情報信号を上記再生手段によって上記記録媒体から再生し得るようにした
ことを特徴とする情報再生装置の再生方法。
【発明の詳細な説明】
【０００１】
【発明の属する技術分野】
本発明は情報再生装置及び情報再生装置の再生方法に関する。
【０００２】
【従来の技術】
コンパクトディスク（ＣＤ）、ミニディスク（ＭＤ）、ハードディスク（ＨＤ）等のディスク状記録媒体、半導体集積回路メモリ等の記録媒体に記録されている情報、例えば、音楽の曲を、再生装置によって再生する場合、次のような再生の仕方がある。
▲１▼（通常再生）記録媒体に記録されている順序に再生する。
▲２▼（選択再生）再生装置のＡＭＳ（Automatic Music Sensor) 機能を用いて、再生中にキー操作により曲を選択して再生する。
▲３▼（プログラム再生）再生装置のプロセッサ機能を用いて、予めプログラムした順番に曲を再生する。
▲４▼（編集再生）曲の順番を入れ換える操作を、再生とは無関係に、曲の編集登録操作によって行う。
【０００３】
【発明が解決しようとする課題】
上述の再生方法▲１▼〜▲４▼の内、▲１▼の再生方法は操作が楽であるが、曲の再生の順序の自由度がない。又、▲２▼及び▲３▼の再生方法は、曲の再生の順序の自由度はあるが、再生装置の電源を切った後は、その曲の再生の順序は保持されず、後に、再生装置の電源を入れたときは、再度の操作が必要となる。更に、▲４▼の再生方法、再生とは無関係な曲の編集登録操作を必要とするため、操作が面倒である。
【０００４】
かかる点に鑑み、本発明は、複数の情報信号が記録された記録媒体から、使用者が任意の情報信号を選択して、任意の順序で再生したとき、その情報信号の選択及び再生の順序を容易に再現することのできる情報再生装置を提案しようとするものである。
【０００５】
【課題を解決するための手段】
本願発明による情報再生装置は、複数の記録媒体に記録されている複数の情報信号を再生する再生手段と、再生手段によって再生された情報信号の再生終了を判定する再生終了判定手段と、複数の各記録媒体から読み出した、再生する予定の順序の再生順序予定リストを記憶する第１の記憶手段と、複数の記録媒体から再生順序予定リストに従って再生され、再生終了判定手段によって再生の終了が判定された再生済みリストを記憶する第２の記憶手段と、第２の記憶手段に記憶された再生済みリストと、上記記録媒体に記録された複数の情報信号から、登録曲数の制限と、削除可能な曲の選択方法について予め設定しておいた条件に基いて新曲順リストを生成し、生成した新曲順リストで上記再生済みリストを上書きする第３の記憶手段とを備え、情報信号の再生停止後の再生開始時には、第３の記憶手段に記憶された新曲順リストに従って、その情報信号を再生手段によって記録媒体から再生し得るようにしたものである。
【０００６】
かかる本願発明によれば、再生手段によって複数の記録媒体に記録されている複数の情報信号を再生し、再生終了判定手段により、再生手段によって再生された情報信号の再生終了を判定し、第１の記憶手段に、複数の各記録媒体に記録された情報信号の再生順序予定リストを記憶し、第２の記憶手段に、複数の記録媒体から再生順序予定リストに従って再生され、再生終了判定手段によって再生の終了が判定された再生済みリストを記憶し、第３の記憶手段に、第２の記憶手段に記憶された再生済みリストと記録媒体に記録された複数の情報信号から、登録曲数の制限と、削除可能な曲の選択方法について予め設定しておいた条件に基いて生成した新曲順リスト記憶し、第３の記憶手段に記憶されている情報信号の新曲順リストに従って、その情報信号を再生手段によって記録媒体から再生しうるようにする。
【００１５】
【発明の実施の形態】
〔発明の実施の形態の具体例〕
以下に、図面を参照して、本発明の実施の形態の具体例の情報再生装置を説明する。
【００１６】
先ず、図１を参照して、具体例の情報再生装置のハードウェアを説明する。ＲＭは記録媒体で、複数の情報信号が記録されており、情報信号の再生のみが可能で、記録媒体に記録されている情報信号を消去したり、その記録媒体に新たな情報信号を追加記録できない、コンパクトディスク（ＣＤ）、半導体ＲＯＭ（Read Only Memory) 等の記録媒体である。この記録媒体ＲＭとして、コンパクトディスクを例に採り、又、その記録媒体ＲＭに記録されている情報信号としては、ここでは音楽の曲に例を採って説明する。
【００１７】
ＰＭは、記録媒体ＲＭに記録されている曲を再生する再生手段で、例えば、ＣＤプレーヤである。再生手段ＰＭによって、記録媒体ＲＭから再生された曲（デジタルＰＣＭ音声信号）は、デコーダＤＣに供給されてデコードされて、デジタル音声信号が得られ、そのデジタル音声信号がＤ／Ａ変換器ＤＡに供給されて、アナログ音声信号に変換され、そのアナログ音声信号が低周波増幅器ＡＰを通じで、電気−音響変換器、ここではスピーカＳＰに供給されて、そのデジタル音声信号の音声、即ち、音楽の曲が放声される。
【００１８】
ＣＴＬは制御手段｛ＣＰＵ（中央処理装置）を備えている｝で、記録媒体の再生手段ＰＭを制御する。Ｍ１は一次記憶手段で、制御手段ＣＴＬによって制御されて、記録媒体ＲＭの曲の再生予定リスト及び再生済みリストを記憶する。この１次記憶手段Ｍ１としては、例えば、制御手段ＣＴＬのＣＰＵのＲＡＭが可能である。制御手段ＣＴＬには、キーボード等の操作部ＯＰと、液晶、陰極線管、プラズマ放電表示素子等の表示部ＤＰが接続されている。Ｍ２は、制御手段ＣＴＬの制御の下に、各記録媒体ＲＭから再生された、記録媒体ＲＭ毎の再生リスト（曲順リストを含む）を記憶する不揮発性記憶手段である。
【００１９】
図２に示すように、再生リスト記憶手段Ｍ２には、複数（ここでは、例えば、４枚）の記録媒体（例えば、コンパクトディスク）ＲＭ毎の再生リストとして、記録媒体ＲＭ毎のＴＯＣ    （Table of Contents)の演算結果（ＴＯＣの所定のコードデータの演算により得られた、コンパクトディスク毎の識別子としてのデータで、これによって、ディスクタイトルのないコンパクトディスクであっても、識別することができる）、ディスクタイトル、曲数、曲名リスト、曲順リストが記憶されている。
【００２０】
次に、図３を参照して、再生リスト記憶手段Ｍ２に記憶されている複数の記録媒体（例えば、コンパクトディスク）ＲＭ毎の再生リストの内の曲順リストの構造を説明する。図３Ｂは、任意の１個の記録媒体ＲＭ（例えば、コンパクトディスク）から再生された総曲数Ｎ、総演奏時間ＴＴ、曲番号｛例えば、１、２、３、…………、（Ｎ−１）、Ｎ｝、各曲の曲長（秒）、曲名及び記録媒体ＲＭ内における物理的な保存位置情報）である。
【００２１】
図３Ａは、曲順を操作するデータで、仮想総曲数Ｍ、仮想総演奏時間、仮想曲番号（複数の情報信号の識別子をポインタとして有する情報再生順序番号）｛例えば、１、２、３、…………、（Ｍ−２）、（Ｍ−１）、Ｍ｝及び各仮想曲番号毎の、図３Ｂの曲番号を示すポインタから構成されている。
【００２２】
図３Ａに示す如く、仮想曲番号１、２、３、…………、（Ｍ−２）、（Ｍ−１）、Ｍの各ポインタに、図３Ｂの曲の番号に対応する数を指定すれば、仮想曲番号１、２、３、…………、（Ｍ−２）、（Ｍ−１）、Ｍの各ポインタの数に応じた、曲番号の曲が順次再生される。図３の例によれば、曲番号２、１、５、Ｎ−１、３、…………、４、Ｎ、２の順に曲の再生が行われる。
【００２３】
Ｎ個の曲を複数回再生可能にするためには、ＭはＮより大きな数に設定する必要があるが、ＭをＮと等しく、又は、Ｎより小さくすることも可能である。
【００２４】
記憶手段Ｍ１に記憶されている再生予定リストは、これから再生する記録媒体ＲＭの曲順リストで、記憶手段Ｍ２の曲順リストのコピーとなるが、未登録の記録媒体ＲＭを再生するときは、その未登録の記録媒体ＲＭに記録されている曲の順番に従って、再生予定リストが生成される。
【００２５】
記憶手段Ｍ１に記憶されている再生済みリストは、再生予定リストに従った曲順の曲の再生が終了した曲のリストであるが、再生予定リストに従って全曲の再生が終了したときは、再生済みリストの内容と、再生予定リストの内容とは同じになる。しかし、実際の曲の再生が再生予定リストに従わなかった場合は、再生済みリストの内容は再生予定リストの内容とは異なることになる。
【００２６】
次に、図４を参照して、制御手段ＣＴＬの制御による再生装置の全体の処理、即ち、メインルーチンを説明する。この処理は、順次の、曲のリスト等の初期化処理を行う初期化処理ステップＳＴ−１、再生を開始するまでの処理を行う再生開始処理ステップＳＴ−２、再生中の使用者の操作部ＯＰのキー操作等のイベントを処理する再生中処理ステップＳＴ−３及び曲再生停止、電源ＯＦＦ等の要因で曲の再生を終了し、次回の再生のための「再生順番」を保持する終了処理ステップＳＴ−４の各サブルーチンから構成される。
【００２７】
先ず、図５を参照して、初期化処理のサブルーチンを説明する。ステップＳＴ−１で、操作部ＯＰからのキー入力データを取得し、ステップＳＴ−２で、電源ＯＦＦキー（電源ＯＮ／ＯＦＦキー）が操作されたか否かを判別する。ステップＳＴ−２の判別でＹＥＳのとき、即ち、電源ＯＦＦキーが操作されたときは、ステップＳＴ−３に移行して、電源をＯＦＦにしてリターンとなって、メインルーチンに戻る。又、ステップＳＴ−２の判別でＮＯのとき、即ち、電源ＯＦＦキーが操作されたのでなければ、ステップＳＴ−４に移行して、記録媒体としてのディスクＭＲの有無を検出し、次にステップＳＴ−５に移行して、ディスクＲＭが有るか否かを判別し、ＮＯ、即ち、ディスクＲＭが無いときは、ステップＳＴ−１に戻り、ＹＥＳ、即ち、ディスクＲＭがあるときは、ステップＳＴ−６に移行して、制御手段ＣＴＬの制御に基づいて、ディスクＲＭのＴＯＣ情報の取得、即ち、再生手段ＰＭによって、ディスクＲＭのＴＯＣ情報を再生し、制御手段ＣＴＬを通じて、再生リスト記憶手段Ｍ２に書き込み、これに基づいてディスク特定情報を生成する。
【００２８】
ステップＳＴ−６の次はステップＳＴ−７に移行して、ＴＯＣ情報に基づく曲順リストが記憶手段Ｍ２に登録済みか否かを判別し、ＹＥＳのとき、即ち、登録済みのときは、ステップＳＴ−８に移行して、再生リスト記憶手段Ｍ２に記憶されている曲順リストから、再生予定リストを生成して、記憶手段Ｍ１に登録した後、ステップＳＴ−１１に移行する。
【００２９】
ステップＳＴ−７の判別でＮＯのとき、即ち、記憶手段Ｍ２において曲順リストが未登録のときは、ステップＳＴ−９に移行して、記憶手段Ｍ１における再生予定リストの初期化を行う、即ち、再生予定リストとして、記憶手段Ｍ２に記憶されている再生リストの曲番号（図３）のリストを使用する。ステップＳＴ−９の次はステップＳＴ−１０に移行して、再生予定リストして、記憶手段Ｍ２に記憶されている再生リストの曲番号（図３）のリストを記憶手段Ｍ１に記憶する。ステップＳＴ−８及び１０の次は、ステップＳＴ−１１に移行して、記憶手段Ｍ１における再生済みリストの内容の消去を行い、その後、リターンに移行して、メインルーチンに戻る。これによって、ディスクの再生予定リストの作成が完了し、曲順リストが記録手段Ｍ２に存在することになる。
【００３０】
次に、図６を参照して、再生開始処理のサブルーチンを説明する。ステップＳＴ−１で、図３における仮想曲番号のポインタＰをＰ＝１にする。これによって、再生予定リストの要素を示すポインタデフォルトは１曲目からスタートする。ステップＳＴ−１の次はステップＳＴ−２に移行して、自動スタート（電源キーのＯＮによって、再生キーを操作しなくても、ディスクの再生が開始されること）か否かを判別する。ステップＳＴ−２の判別で、ＹＥＳ、即ち、自動スタートのときは、ステップＳＴ−３に移行して、記憶手段Ｍ１に記憶されている再生予定リストの曲順リストの仮想曲番号のポインタＰに相当する曲番号の曲データを取得し、その後、ステップＳＴ−４に移行して、制御手段ＣＴＬが再生コマンドを発行した後、リターンとなって、メインルーチンに戻る。これによって、再生手段ＰＭはその曲を再生する。
【００３１】
ステップＳＴ−２の判別でＮＯ、即ち、自動スタートでないときは、ステップＳＴ−５に移行して、操作部ＯＰからのキー入力データの取得を行い、その後、ステップＳＴ−６に移行する。ステップＳＴ−６では、キー入力データは曲再生、曲送り又は曲戻し及び電源ＯＦＦのキー入力データのいずれであるかを判別する。ステップＳＴ−６の判別で、キー入力データが曲再生データであるときは、ステップＳＴ−３に移行する。ステップＳＴ−６の判別で、キー入力データが電源ＯＦＦデータであるときは、ステップＳＴ−７に移行して電源をＯＦＦにして、その後リターンとなる。ステップＳＴ−６の判別で、キー入力データが曲送り又は曲戻しデータのときは、ステップＳＴ−８に移行して、記憶手段Ｍ１に記憶されている再生予定リストの曲順リストの仮想曲番号のポインタＰに相当する曲番号のインクリメント又はデクリメントを行った後、ステップＳＴ−５に戻る。
【００３２】
次に、図７を参照して、再生中処理を説明する。ステップＳＴ−１で、操作部ＯＰのキー操作に基づくキー入力データを取得した後、ステップＳＴ−２に移行する。ステップＳＴ−２では、キー入力データは、キー入力無し、曲送り又は曲戻し、及び電源ＯＦＦ又は曲再生停止のデータのいずれかを判別する。ステップＳＴ−２の判別で、キー入力データが電源ＯＦＦ又は曲再生停止のデータであると判別したときは、リターン（電源ＯＦＦ又は曲再生停止）となり、メインルーチンに戻る。ステップＳＴ−２で、キー入力データが曲送り又は曲巻戻しのデータであると判別されたときは、ステップＳＴ−３に移行して、図９について後述する曲送り又は曲戻し処理のサブルーチンを経て、ステップＳＴ−１に戻る。
【００３３】
ステップＳＴ−２の判別で、キー入力データがキー入力なしとされたときは、ステップＳＴ−４に移行して、１曲の再生が終了したか否かを判別する。ステップＳＴ−４の判別でＮＯ、即ち、１曲の再生が終了していないのであれば、ステップＳＴ−１に戻る。ステップＳＴ−４の判別で、ＹＥＳ、即ち、１曲の再生が終了したのであれば、ステップＳＴ−５に移行して、記憶手段Ｍ１の再生済みリストに再生が終了した曲を追加した後、ステップＳＴ−６に移行して、記憶手段Ｍ１に記憶されている再生予定リストから次に再生する曲の番号を取得した後、ステップＳＴ−７に移行して、曲再生コマンドを発行した後、ステップＳＴ−１に戻る。これによって、再生手段ＰＭはその次に再生する曲の再生を行う。
【００３４】
次に、図８を参照して、演奏終了判定処理のサブルーチンを説明する。ステップＳＴ−１で、終了判定のための情報、即ち、ｓｅｃ（＝現在再生中の曲の長さ）、ｔｉｍｅ（＝現在の曲の再生時間）及びＦｌａｇ｛＝（ｔｉｍｅ＊１００）／ｓｅｃ｝（現在再生中の曲の再生時間ｔｉｍｅの曲の長さｓｅｃに対する１００分率）の取得を行う。ステップＳＴ−１の次のステップＳＴ−２では、ｓｅｃは下限長さ（例えば、１０秒）より短いか否かの判別を行い、ＹＥＳ、即ち、ｓｅｃが下限長さより短いときは、ステップＳＴ−３、４、５によって特別判定（これについては後述する）を行い、ＮＯ、即ち、ｓｅｃが下限長さ以上のときは、ステップＳＴ−６に移行する。
【００３５】
ステップＳＴ−３では、ｓｅｃ＝ｔｉｍｅか否か、即ち、現在再生中の曲の長さが現在の曲の再生時間と等しいか否かを判別し、ＹＥＳ、即ち、演奏完了であれば、ステップＳＴ−４に移行して、Ｆｌａｇ＝１００にした後、ステップＳＴ−６に移行する。又、ステップＳＴ−３の判別で、ＮＯのとき、即ち、演奏未完了のときは、ステップＳＴ−５に移行して、現在の曲の再生時間ｔｉｍｅの如何に拘らず、Ｆｌａｇ＝０にした後、ステップＳＴ−６に移行する。
【００３６】
ステップＳＴ−６では、Ｆｌａｇは判定値（例えば、５０）より小さいか否かを判別し、ＹＥＳのときは、リターンとなってメインルーチンに戻り、ＮＯのときは、ステップＳＴ−７に移行して、記憶手段Ｍ１の再生済みリストに再生が終了した曲を追加した後、リターンとなって、メインルーチンに戻る。
【００３７】
さて、ステップＳＴ−２でＮＯの場合、即ち、現在再生中の曲の長さが、例えば、１０秒より長いときは、ステップＳＴ−６及びステップＳＴ−７の判断によって、曲の長さの半分（これは半分でなくとも、例えば、２／３でも良い）以上再生したときは、１００％再生していなくても、再生済みと見做して、再生済みリストに再生が終了した曲を追加する。ところが、ステップＳＴ−２でＹＥＳの場合、即ち、現在再生中の曲の長さが、例えば、１０秒より短いとき（例えば、８秒とする）は、ステップＳＴ−３〜５によって、その曲の再生が１００％完了したときのみ、再生済みリストに再生が終了した曲を追加し、例えば、８秒の曲の再生が１００％完了しないとき、例えば、７秒分再生したとしても、Ｆｌａｇ＝０として、未再生扱いとするものである。
【００３８】
次に、図９を参照して、図７のステップＳＴ−３における曲送り又は曲戻し処理のサブルーチンを説明する。ステップＳＴ−１では、図８の演奏終了判定処理のサブルーチン（再生中の曲が再生完了か否かを判別し、完了であればリストを追加する）を経た後、ステップＳＴ−２に移行する。ステップＳＴ−２では、曲送りか曲戻しかの判別を行う。ステップＳＴ−２の判別で、曲送りとされたときは、ステップＳＴ−３に移行して、記憶手段Ｍ１の再生予定リストから次曲の番号を取得した後、ステップＳＴ−４に移行して、ディスクＲＭの目的の曲をシークして再生した後リターンとなり、メインルーチンに戻る。
【００３９】
ステップＳＴ−２の判別で曲戻りとされたときは、ステップＳＴ−５に移行してＦｌａｇは判定値（例えば、５０）より小さいか否かの判別を行う。ステップＳＴ−５の判別で、ＹＥＳ、即ち、Ｆｌａｇが判定値より小さいとされたときは、ステップＳＴ−７に移行して、現在の曲の番号のままとした後、ステップＳＴ−４に移行する。ステップＳＴ−５の判別で、ＮＯ、即ち、Ｆｌａｇが判定値より大きいときは、再生予定リストから前曲の番号を取得した後、ステップＳＴ−４に移行する。
【００４０】
次に、図１０を参照して、曲順リストの決め方について説明する。ある記録媒体（ディスク）ＲＭに、ａに示す如く、曲が記録されていたものとすると、図５の初期化処理において、ステップＳＴ−６で、再生手段ＰＭによって、そのディスクのＴＯＣ情報が再生されて、記憶手段Ｍ２にこの曲Ａ，Ｂ，Ｃ，…………，Ｊが曲順リストとして記憶（登録）される。そして、記憶手段Ｍ１に記憶される当初の再生予定リストは、図５のステップＳＴ−８によって、ａに示した曲Ａ，Ｂ，Ｃ，…………，Ｊの計１０曲となる。
【００４１】
使用者が再生手段ＰＭのＡＭＳ（Automatic Music Sensor) 機能を用いて、再生中にキー操作により曲を選択して再生し、曲Ａ、Ｂ、Ｃ，…………，Ｊの内、曲Ａ，Ｂ，Ｄ，Ｂ，Ｆ，Ｇをこの順で再生したものとすると、そのときの記憶手段Ｍ１に記憶されている再生済みリストは、ｂに示す如く曲Ａ，Ｂ，Ｄ，Ｂ，Ｆ，Ｇとなる。
【００４２】
ところで、ａの記録媒体ＲＭに記録されている曲のリスト、即ち、初期の曲順リストと、ｂの再生済みリストから、曲順リストの種々の決め方を述べる。
▲１▼  先ず、曲数を増やさずに、先登録優先法によって登録された曲順リストは、ｂの再生済みリスト内の２回再生された曲Ｂの内、先に再生された曲を優先させた曲Ａ，Ｂ，Ｄ，Ｆ，Ｇの次に、曲Ａ〜Ｊの内の再生されなかった曲Ｃ，Ｅ，Ｈ，Ｉ，Ｊを続けることによって、ｃに示す曲順リスト、曲Ａ，Ｂ，Ｄ，Ｆ，Ｇ，Ｃ，Ｅ，Ｈ，Ｉ，Ｊが決められる。
【００４３】
▲２▼  次に、曲数を増やさずに、後登録優先法によって登録された曲順リストは、ｂの再生済みリスト内の２回再生された曲Ｂの内、後に再生された曲を優先させた曲Ａ，Ｄ，Ｂ，Ｆ，Ｇの次に、曲Ａ〜Ｊの内の再生されなかった曲Ｃ，Ｅ，Ｈ，Ｉ，Ｊを続けることによって、ｄに示す曲順リスト、曲Ａ，Ｄ，Ｂ，Ｆ，Ｇ，Ｃ，Ｅ，Ｈ，Ｉ，Ｊが決められる。
【００４４】
▲３▼  次に、曲数を増やしても良い場合の登録された曲順リストは、ｂの再生済みリストの曲Ａ，Ｂ，Ｄ，Ｂ，Ｆ，Ｇの次に、曲Ａ〜Ｊの内の再生されなかった曲Ｃ，Ｅ，Ｈ，Ｉ，Ｊを続けることによって、ｅに示す曲順リスト曲Ａ，Ｂ，Ｄ，Ｂ，Ｆ，Ｇ，Ｃ，Ｅ，Ｈ，Ｉ，Ｊが決められる。
【００４５】
▲４▼  次に、ある記録媒体ＲＭに記録されている曲はａに示す通りであるが、再生済みリストがｆに示す如く曲Ａ，Ｂ，Ｃ，Ａ，Ｂ，Ｃ，Ａ，Ｂ，Ｃ，Ｄ，Ｅ，Ｆ，Ｂ，Ｃである（リストの要素は１４）場合に、リスト長が、例えば、９のときの曲順リストを説明する。
再生済みリストの曲に後ろから削除可能な曲に番号を付すと次のようになる。
0003951497.tif 000002
そこで、この場合には、１４個のリストの要素から、５個の要素を削除すれば、リスト長は９になる。そこで、番号１、２、３、４及び５のリストの要素を削除すれば、ｇに示す曲順リスト曲Ａ，Ｂ，Ｃ，Ａ，Ｂ，Ｃ，Ｄ，Ｅ，Ｆが得られる。
【００４６】
そこで、制御手段ＣＴＬは、記憶手段Ｍ２に記憶されている記録媒体ＲＭの再生リストと、記憶手段Ｍ１の再生済みリストから、上述の▲１▼〜▲４▼のいずれかの決め方に従って、曲順リストを決めて行く。
【００４７】
次に、図１１を参照して、終了処理のサブルーチン（電源ＯＦＦ又は曲再生停止処理）を説明する。ステップＳＴ−１で、図８で説明した演奏終了判定処理のサブルーチンを経て、ステップＳＴ−２に移行して、新曲順リストを記憶手段Ｍ２に古い曲順リストに上書き保存する。ステップＳＴ−２の次はステップＳＴ−３に移行して、電源ＯＦＦか曲再生停止かを判別する。ステップＳＴ−３の判別で、曲再生停止のときはリターンとなってメインルーチンに戻る。ステップＳＴ−３の判断で、電源ＯＦＦのときは、ステップＳＴ−４に移行して電源ＯＦＦを行ってから、リターンとなってメインルーチンに戻る。
【００４８】
次に、図１２を参照して、他の具体例の情報再生装置のハードウェアを説明する。ＲＭは記録媒体で、複数の情報信号が記録されており、情報信号の記録再生が可能で、記録媒体に記録されている情報信号を消去したり、その記録媒体に新たな情報信号を追加記録することのできるミニディスク（ＭＤ）、ハードディスク（ＨＤ）、半導体ＲＡＭ（Random-access Memory) 等の記録媒体である。この記録媒体ＲＭとして、ミニディスクを例に採り、又、その記録媒体ＲＭに記録されている情報信号としては、ここでは音楽の曲に例を採って説明する。
【００４９】
この図１２の具体例の情報再生装置のハードウェアは、図１について説明した具体例の情報再生装置のハードウェアと大部分の構成は同じなので、重複説明を省略するが、異なるところは、図１２の場合は、再生手段ＰＭではなく、記録再生手段ＲＰＭであることと、図１における不揮発性記憶手段Ｍ２が設けされていない（勿論、この場合も、不揮発性記憶手段Ｍ２を設けることのできる）点である。即ち、記録媒体ＲＭ毎の再生リスト（曲順リストを含む）は、各記録媒体自体に記録されており、再生リストの内の曲順リストは、制御手段ＣＴＬの制御の下に、記録再生手段ＲＰＭによって、上書き記録される。
【００５０】
各記録媒体ＲＭ毎の再生リストの内の曲順リストの構造は、上述の図３と同様である。
【００５１】
再生装置の構成が図１２に示したものである場合の全体の処理（メインルーチン）及び初期化処理を除く各サブルーチンは、再生装置の構成が図１の場合と同様である。そこで、図１３を参照して、初期化処理のサブルーチンを説明する。尚、図１３において、ステップＳＴ−１〜５は、記録媒体ＲＭがミニディスクの如きリムーバブルディスクの場合に必要な処理で、ハードディスクのような固定ディスクの場合には、ステップＳＴ−１〜５は不要で、ステップＳＴ−６〜８のみが必要である。
【００５２】
ステップＳＴ−１で、図１２の制御部ＯＰにおけるキー入力データの取得を行った後、ステップＳＴ−２に移行して、電源ＯＦＦキーが操作されたか否かの判別を行う。ステップＳＴ−２の判別で、ＹＥＳであれば、ステップＳＴ−３に移行して、電源ＯＦＦを行った後、リターンとなって、メインルーチンに戻る。
【００５３】
ステップＳＴ−２の判断でＮＯのときは、ステップＳＴ−４に移行して、ディスクの有無の検出を行い、その後ステップＳＴ−５に移行して、ディスクが有るか否かの判断を行い、ＮＯのときはステップＳＴ−１に戻り、ＹＥＳのときはステップＳＴ−６に移行して、記録再生手段ＲＰＭによって、ディスク（記録媒体）ＲＭから曲順リストを再生して、その取得を行う。ステップＳＴ−６の次にはステップＳＴ−７に移行して、取得した曲順リストから再生予定リストを生成して、記憶手段Ｍ１に記憶する。ステップＳＴ−７の次はステップＳＴ−８に移行して、再生済みリストの内容を消去した後、リターンとなってメインルーチンに戻る。
【００５４】
情報信号は、音声信号の他、映像信号、映像・音声信号等も可能である。
【００５５】
【発明の効果】
本願発明によれば、複数の記録媒体に記録されている複数の情報信号を再生する再生手段と、再生手段によって再生された情報信号の再生終了を判定する再生終了判定手段と、複数の各記録媒体から読み出した、再生する予定の順序の再生順序予定リストを記憶する第１の記憶手段と、第１の記憶手段に従って情報信号を再生する再生順序予定リストを作成し、当該再生順序予定リストを記憶する第２の記憶手段と、第２の記憶手段に記憶された上記再生済みリストの曲順のうち、複数回再生された曲の重なりを削除して新曲順リストを生成し、生成した新曲順リストで再生済みリストを上書きする第３の記憶手段とを備え、第３の記憶手段に記憶されている情報信号の新曲順リストに従って、その情報信号が再生手段によって記録媒体から再生し得るようにしたので、複数の情報信号が記録された記録媒体から、使用者が任意の情報信号を選択して、任意の順序で再生したとき、その情報信号の選択及び再生の順序を容易に再現することのできる情報再生装置を得ることができる。
【００５６】
また、本願発明によれば、本願発明の情報再生装置において、再生判定手段によって判定される情報信号の再生終了の判定は、再生順序予定リストに記憶された情報信号の再生時間に対する再生中の再生時間の比率によって判別することによって行うようにしたので、再生した曲を再生済みリストに追加するか否かの判定を容易に行うことのできる情報再生装置を得ることができる。
【図面の簡単な説明】
【図１】本発明の実施の形態の具体例の情報再生装置を示すブロック線図である。
【図２】再生リストを記憶する記憶手段のデータ構造を示す表図である。
【図３】再生リスト記憶手段に記憶された曲順リストの構造を示す表図である。
【図４】本発明の実施の形態の具体例の情報再生装置の制御手段の動作の全体を示すフローチャートである。
【図５】本発明の実施の形態の具体例の情報再生装置の制御手段の動作の内の初期化処理のサブルーチンを示すフローチャートである。
【図６】本発明の実施の形態の具体例の情報再生装置の制御手段の動作の内の再生開始処理を示すフローチャートである。
【図７】本発明の実施の形態の具体例の情報再生装置の制御手段の動作の内の再生中処理を示すフローチャートである。
【図８】本発明の実施の形態の具体例の情報再生装置の制御手段の動作の内の演奏終了判定処理を示すフローチャートである。
【図９】本発明の実施の形態の具体例の情報再生装置の制御手段の動作の内の曲送り又は曲戻し処理を示すフローチャートである。
【図１０】曲順リストの決め方を示す表図である。
【図１１】本発明の実施の形態の具体例の情報再生装置の制御手段の動作の内の終了処理を示すフローチャートである。
【図１２】本発明の実施の形態の他の具体例の情報再生装置を示すブロック線図である。
【図１３】本発明の実施の形態の他の具体例の情報再生装置の制御手段の動作の内の初期化処理のサブルーチンを示すフローチャートである。
【符号の説明】
ＣＴＬ  制御手段、ＰＭ  再生手段、ＲＰＭ  記録再生手段、ＲＭ  記録媒体、Ｍ１、Ｍ２  記憶手段、ＤＣ  デコード、ＤＡ  Ｄ／Ａ変換器、ＡＰ  低周波増幅器、ＳＰ  スピーカ。
【図１】
0003951497.tif 000003
【図２】
0003951497.tif 000004
【図３】
0003951497.tif 000005
【図４】
0003951497.tif 000006
【図５】
0003951497.tif 000007
【図６】
0003951497.tif 000008
【図７】
0003951497.tif 000009
【図８】
0003951497.tif 000010
【図９】
0003951497.tif 000011
【図１０】
0003951497.tif 000012
【図１１】
0003951497.tif 000013
【図１２】
0003951497.tif 000014
【図１３】
0003951497.tif 000015